(57)【要約】  【課題】  放送信号が入力されるチューナを複数備える場合に，１又は複数の放送信号の信号線を複数の信号入力端へ接続する作業を容易化できるとともに，装置が備える機能を最大限活用できるような信号接続状態を設定できること。  【解決手段】  放送信号が各々入力される２つの信号入力端ｉ１，ｉ２から３つの前記チューナ１ａ，１ｂ，１ｃへの信号伝送経路の接続状態を任意に設定可能ないわゆるマトリクススイッチャである前記広帯域スイッチャ６を備え，制御回路８により，信号入力端ｉ１，ｉ２から複数のチューナ１ａ，１ｂ，１ｃへの信号伝送経路の接続状態が順次切り替えられた状態各々において，チューナ１ａ，１ｂ，１ｃにより放送信号についてチャンネル選択処理が行われた後の信号に基づいて放送信号の種類を検知し，その検知結果に基づいて広帯域スイッチャ６における信号伝送経路の接続状態を制御する。【選択図】図１
2006121558.tif 000002
【特許請求の範囲】
【請求項１】
放送信号が入力されるチューナを複数具備する放送信号処理装置であって，
前記放送信号が各々入力される複数の信号入力端から複数の前記チューナへの信号伝送経路の接続状態を任意に設定可能な信号経路任意設定手段と，
前記信号経路任意設定手段による信号伝送経路の接続状態を制御する信号経路制御手段と，
を具備してなることを特徴とする放送信号処理装置。
【請求項２】
前記チューナが前記信号入力端の数よりも多く設けられてなる請求項１に記載の放送信号処理装置。
【請求項３】
複数の前記チューナに，アナログ放送信号用のチューナとデジタル放送信号用のチューナとが含まれてなる請求項１又は２のいずれかに記載の放送信号処理装置。
【請求項４】
複数の前記信号入力端各々から入力される前記放送信号の種類を検知する信号種類検知手段を具備し，
前記信号経路制御手段が，前記信号種類検知手段による検知結果に基づいて前記信号経路任意設定手段による信号伝送経路の接続状態を制御してなる請求項１〜３のいずれかに記載の放送信号処理装置。
【請求項５】
前記信号経路任意設定手段を制御することにより複数の前記信号入力端から複数の前記チューナへの信号伝送経路の接続状態を順次切り替える信号経路順次切替制御手段を具備し，
前記信号種類検知手段が，前記信号経路順次切替制御手段により順次切り替えられた前記信号伝送経路の接続状態各々において，前記チューナにより前記放送信号についてチャンネル選択処理が行われた後の信号に基づいて前記放送信号の種類を検知してなる請求項４に記載の放送信号処理装置。
【請求項６】
前記信号種類検知手段が，前記チューナにより前記放送信号についてチャンネル選択処理が行われた後の信号に映像信号が存在するか否かに基づいて前記放送信号の種類を検知してなる請求項５に記載の放送信号処理装置。
【請求項７】
前記信号種類検知手段が，前記チューナにより前記放送信号についてチャンネル選択処理が行われた後の信号のフォーマットが予め定められたフォーマットに適合するか否かに基づいて前記放送信号の種類を検知してなる請求項５に記載の放送信号処理装置。
【請求項８】
請求項１〜７のいずれかに記載の放送信号処理装置を具備してなることを特徴とするテレビジョン受像機。
【発明の詳細な説明】
【技術分野】
【０００１】
本発明は，放送信号が入力されるチューナを複数備える放送信号処理装置及びそれを具備するテレビジョン受像機に関するものである。
【背景技術】
【０００２】
テレビジョン受像機や録画装置（ビデオデッキ）等（以下，テレビジョン受像機等という）は，複数チャンネル分のチャンネル信号（映像信号と音声信号とが重畳された信号）を含む放送信号が入力され，その中から，リモコン等の操作手段を通じて選択された１つのチャンネルの映像信号及び音声信号をチューナにより抽出し，それらを自装置に設けられたモニタ及びスピーカ或いは外部接続された装置（録画装置に接続されたテレビジョン受像機等）に出力する。
ここで，テレビジョン受像機等には，地上波アナログ放送信号や地上波デジタル放送信号，ＢＳデジタル放送信号，アナログＣＡＴＶ信号等の複数の放送信号が入力され，それらの信号形態に対応した複数のチューナを備えるものがある。例えば，特許文献１や特許文献２には，種類の異なる複数のチューナを備えたテレビジョン受像機が示されている。
このように複数のチューナを備えたテレビジョン受像機等では，放送信号が各々入力される複数の信号入力端に対する放送信号の信号線（放送信号の受信アンテナと接続される信号線やＣＡＴＶモデムと接続される信号線等）の接続パターンが数多く存在する場合がある。
【０００３】
図４は，従来のテレビジョン受像機等における複数のチューナへの放送信号の信号線の接続パターンの一例を表す図である。
図４に示すテレビジョン受像機は，アナログ放送信号（アナログ地上波放送信号やアナログＣＡＴＶ放送信号等）からチャンネル信号を抽出する２つのアナログＵＶチューナ１ａ，１ｂ（図中，「AN TUNER」と表す）と，デジタル放送信号（デジタル地上波放送信号やデジタル衛星放送信号等）からチャンネル信号を抽出する１つのデジタルチューナ１ｃ（図中，「DG TUNER」と表す）とを備えた例である。そして，３つの信号入力端ｉｎ１〜ｉｎ３各々に放送信号の信号線が接続されることにより，各信号入力端ｉｎ１〜ｉｎ３に対応するチューナ１ａ〜１ｃ各々に放送信号が入力される。また，一方のアナログＵＶチューナ１ａは，そのアナログＵＶチューナ１ａに入力された放送信号を分岐して信号出力端ｏｕｔ（ＲＦ出力端）に出力する機能を備えている。
【０００４】
また，図４（ａ）に示す放送信号の信号線の接続パターンは，一方のアナログＵＶチューナ１ａの信号入力端ｉｎ１に地上波アナログ放送信号の信号線が，デジタルチューナ１ｃに衛星デジタル放送信号の信号線が各々接続され，さらに，前記一方のアナログＵＶチューナ１ａの信号出力端ｏｕｔが他方のアナログＵＶチューナ１ｂの信号入力端ｉｎ２に中継信号線により接続されている例である。
このような接続パターンとすることにより，地上波アナログ放送信号による放送番組と，衛星デジタル放送信号による放送番組とを視聴（選局）できるとともに，地上波アナログ放送信号における異なるチャンネルの２つの放送番組を映像表示部（不図示）にマルチ画面表示させることが可能となる。
一方，図４（ｂ）に示す接続パターンは，一方のアナログＵＶチューナ１ａの信号入力端ｉｎ１に地上波アナログ放送信号と地上波デジタル放送信号の両方が重畳された地上波放送信号の信号線（地上波放送受信アンテナからの信号線）が，他方のアナログＵＶチューナ１ｂにＣＡＴＶアナログ放送信号の信号線が各々接続され，さらに，前記一方のアナログＵＶチューナ１ａの信号出力端ｏｕｔがデジタルチューナ１ｃの信号入力端ｉｎ３に中継信号線により接続されている例である。
このような接続パターンとすることにより，地上波アナログ放送信号，ＣＡＴＶアナログ放送信号及び衛星デジタル放送信号の各々による放送番組を視聴（選局）できる。
以上示した他にも，図４（ａ）の接続パターンにおいて，信号入力端ｉｎ２を信号出力端ｏｕｔに接続する代わりにＣＡＴＶアナログ放送信号の信号線に接続するパターンや放送信号の信号線を分配機によって分岐させて複数のチューナの入力端に接続する等，接続パターンは各種考えられる。
【特許文献１】特開平１０−２７６３７３号公報
【特許文献２】特許第２７１５４６９号公報
【発明の開示】
【発明が解決しようとする課題】
【０００５】
しかしながら，装置に詳しくない利用者にとって，様々な接続パターンの中から，１又は複数の放送信号の種類に応じて適切な接続パターンを選択し，正しく信号線を接続することは，困難であるとともに手間であるという問題点があった。特に，１つの放送信号を分岐させて複数のチューナに入力させる（信号線を分岐して接続する）こと等は，利用者にとってよりわかり辛く手間であるという問題点があった。
さらに，信号線の接続状態によっては，装置が備える機能を最大限活用できないという問題点も生じ得た。
例えば，図４（ａ）に示した接続パターンにおいて，一方のアナログＵＶチューナ１ａの信号出力端ｏｕｔを他方のアナログＵＶチューナ１ｂの信号入力端ｉｎ３に接続しなかった場合，地上波アナログ放送の番組を視聴することに支障はなく，接続が間違っているとはいえない。しかしながら，そのような接続状態では，地上波アナログ放送における異なる２つのチャンネルの番組をマルチ画面表示させる機能を活用することができない。
従って，本発明は上記事情に鑑みてなされたものであり，その目的とするところは，放送信号が入力されるチューナを複数備える場合に，１又は複数の放送信号の信号線を複数の信号入力端へ接続する作業を容易化できるとともに，装置が備える機能を最大限活用できるような信号接続状態を設定できる放送信号処理装置及びそれを具備するテレビジョン受像機を提供することにある。
【課題を解決するための手段】
【０００６】
上記目的を達成するために本発明は，アナログ放送信号用のチューナやデジタル放送信号用のチューナ等，放送信号が入力されるチューナを複数備える場合に，前記放送信号が各々入力される複数の信号入力端から複数の前記チューナへの信号伝送経路の接続状態を任意に設定可能な信号経路任意設定手段（いわゆるマトリクススイッチャ）と，これを制御する制御手段（信号経路制御手段）とを具備する放送信号処理装置，或いはそれを具備するテレビジョン受像機として構成されるものである。
これにより，１又は複数の放送信号の信号線を複数の信号入力端のいずれに接続しても，前記信号経路任意設定手段により，その放送信号を任意のパターンで複数のチューナに入力させることができる（１つの放送信号を複数のチューナに分岐入力させることもできる）。従って，放送信号の信号線を複数の信号入力端に接続する際に，考え得る多数の接続パターンの中からいずれが適切な接続パターンであるか等を考慮する必要がなく，信号入力端への信号線の接続作業を容易化できる。
また，前記信号経路任意設定手段により１つの信号入力端に入力された放送信号を分岐して複数のチューナに伝送することも可能であるので，前記チューナが前記信号入力端の数よりも多く設けられている場合にも適用できる。これにより，信号入力端の数を必要最小限にできるので，装置外装における端子（コネクタ）構成がシンプルとなり好適である。
【０００７】
また，前記信号経路任意設定手段の制御方法としては，例えば，いずれの信号入力端にどのような種類の放送信号の信号線を接続したかの情報を所定の操作入力手段を通じて入力し，その入力情報に基づいて適切な信号伝送経路が設定されるよう前記信号経路任意設定手段を制御することも考えられるが，以下のような自動制御を行えばなお好適である。
例えば，複数の前記信号入力端各々から入力される前記放送信号の種類を検知し，その検知結果に基づいて前記信号経路任意設定手段による信号伝送経路の接続状態を制御（自動制御）するものである。
これにより，入力される放送信号の種類に応じて，装置が備える機能を最大限活用できるような各チューナへの放送信号の接続状態（入力状態）を自動設定することが可能となる。
この場合，前記信号経路任意設定手段を制御することにより複数の前記信号入力端から複数の前記チューナへの信号伝送経路の接続状態を順次切り替え，そのようにして順次切り替えられた前記信号伝送経路の接続状態各々において，前記チューナにより前記放送信号についてチャンネル信号の抽出処理が行われた後の信号に基づいて前記放送信号の種類を検知することが考えられる。
例えば，前記チューナにより前記放送信号についてチャンネル選択処理が行われた後の信号に映像信号が存在するか否か，或いは同信号のフォーマットが予め定められたフォーマットに適合するか否か等に基づいて前記放送信号の種類を検知することが考えられる。
これにより，前記チューナによるチャンネル選択処理（即ち，放送信号に含まれる複数のチャンネル（周波数帯域）の中からいずれかのチャンネルを選択（抽出）する処理）や各チューナにより選択されたチャンネルの信号に対して通常施される検波処理やデジタル放送信号のフォーマット判別処理等の各種信号処理を活かして放送信号の種類を検知することができ，装置構成がシンプルとなる。
【発明の効果】
【０００８】
本発明によれば，放送信号が入力されるチューナを複数備える場合に，放送信号が各々入力される複数の信号入力端から複数のチューナへの信号伝送経路の接続状態を任意に設定可能な信号経路任意設定手段が設けられてこれを制御するので，１又は複数の放送信号の信号線を複数の信号入力端へ接続する作業を容易化できる。
さらに，複数の前記信号入力端各々から入力される放送信号の種類を検知し，その検知結果に基づいて前記信号経路任意設定手段による信号伝送経路の接続状態を自動制御すれば，前記信号経路任意設定手段の制御に必要な情報（放送信号の種類情報）を利用者が入力する作業を省力化できるとともに，装置が備える機能を最大限活用できるよう各チューナへの放送信号の接続状態（入力状態）を設定することが可能となる。
【発明を実施するための最良の形態】
【０００９】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係るテレビジョン受像機Ｘの概略構成を表すブロック図，図２はテレビジョン受像機Ｘにおける各信号入力端から各チューナへの信号伝送経路の設定処理の手順を表すフローチャート，図３はテレビジョン受像機Ｘにおける放送信号の種類に応じた各信号入力端から各チューナへの信号伝送経路の設定に用いる広帯域スイッチャ設定テーブルの一例を表す図，図４は従来のテレビジョン受像機における複数のチューナへの放送信号の信号線の接続パターンの一例を表す図である。
【００１０】
まず，図１のブロック図を用いて，本発明の実施形態に係るテレビジョン受像機Ｘの構成について説明する。
テレビジョン受像機Ｘは，複数のチューナ各々により選択（抽出）される映像信号に基づく映像画面を切換えて表示可能なテレビジョン受像機である。
図１に示すように，テレビジョン受像機Ｘは，放送信号が入力される３つのチューナ１ａ，１ｂ，１ｃと，各チューナ１ａ，１ｂ，１ｃに対応したチャンネル信号処理回路２ａ，２ｂ，２ｃ（図中，「Ch処理回路」と表す）と，映像切替回路３と，２つの映像処理回路４ａ，４ｂと，画面合成切替回路５と，広帯域スイッチャ６と，リモコンインターフェース（Ｉ／Ｆ）回路７と，制御回路８と，モニタ画面２１と，音声切替回路１０と，音声処理回路１１と，アンプ２２と，スピーカ２３とを具備している。
【００１１】
３つのチューナのうちの２つのチューナ１ａ，１ｂ（図中，「AN TUNER」と表す）は，アナログ地上波放送信号やアナログＣＡＴＶ放送信号等のアナログ放送信号が入力された場合に，その放送信号から１つのチャンネルの信号を選択（抽出）して出力するアナログＵＶチューナ１ａ，１ｂ（アナログ放送信号用のチューナ）である。
残りの１つのチューナ１ｃ（図中，「DG TUNER」と表す）は，デジタル地上波放送信号やデジタル衛星放送信号等のデジタル放送信号が入力された場合に，その放送信号から１つのチャンネルの信号を選択（抽出）して出力するデジタルチューナ１ｃ（デジタル放送信号用のチューナ）である。
各チューナ１ａ，１ｂ，１ｃは，放送信号を入力し，前記制御回路８から指示されるチャンネルの信号をその入力信号から抽出（選局）するチャンネル選択処理を行い，処理後の信号を後段の各チャンネル信号処理回路２ａ，２ｂ，２ｃへ伝送する。
前記チャンネル信号処理回路２ａ，２ｂ，２ｃは，各々その前段の前記チューナ１ａ，１ｂ，１ｃの種類（アナログ放送信号用か，デジタル放送信号用か）に対応したものであり，各チューナ１ａ，１ｂ，１ｃから伝送されてきた１チャンネル分の信号（チャンネル信号）から映像信号及び音声信号を取り出し，その映像信号及び音声信号の各々を前記映像切替回路３及び前記音声切替回路１０各々へ伝送するものである。
ここで，アナログ放送信号に対応した前記チャンネル信号処理回路２ａ，２ｂは，所定の検波処理によって取り出されたアナログ映像信号からの水平同期信号及び垂直同期信号の分離等の映像信号処理も行う。
また，デジタル放送信号に対応した前記チャンネル信号処理回路２ｃは，前記デジタルチューナ１ｃによって放送信号から選択（抽出）されたチャンネルのＩＦ信号について周知のＯＦＤＭやＶＳＢ，ＱＡＭ等のデジタル復調処理，復号処理，誤り訂正処理等によってＴＳ(Transport Stream)信号を生成し，さらにそのＴＳ信号を多重分離して映像，音声，データ放送などのストリームとした後，分離した信号の復号処理により視聴可能な映像信号，音声信号等に変換する。
【００１２】
さらに，アナログ放送信号用の前記アナログＵＶチューナ１ａ，１ｂに対応する前記チャンネル信号処理回路２ａ，２ｂは，前記アナログＵＶチューナ１ａ，１ｂによる前記チャンネル選択処理後の信号から同期信号が検出されたか否かの判別回路（不図示）を備え，その判別結果（以下，同期信号判別結果という）を前記制御回路８に伝送する。
また，デジタル放送信号用の前記デジタルチューナ１ｃに対応する前記チャンネル信号処理回路２ｃは，デジタル放送信号の規格として予め定められた１又は複数の信号フォーマットを記憶しており，前記ＴＳ信号のフォーマットが，その予め定められた信号フォーマットのいずれかに適合（一致）するか否かの判別回路（不図示）を備え，その判別結果（以下，信号フォーマット判別結果という）を前記制御回路８に伝送する。
前記映像切替回路３は，前記チャンネル信号処理回路２ａ，２ｂ，２ｃ各々からの映像信号を入力し，それらの映像信号のうちの任意の２つの映像信号を前記制御回路８からの指示に従って出力するものである。
前記映像処理回路４ａ，４ｂ各々は，前記映像切替回路３から出力された映像信号各々に対して各種信号処理を行うものである。例えば，所定の画質改善処理，前記画質改善処理後の映像を縮小する（時間軸を圧縮する）処理，及びその縮小映像信号を画面左半分や画面右半分に配置する位相調整処理等を行い，処理後の映像信号を前記画面合成切替回路５に出力する。
前記画面合成切替回路５は，前記映像処理回路４ａ，４ｂ各々からの映像信号のいずれかを切り替えて前記モニタ画面２１に出力することにより，前記モニタ画面２１に１つの映像画面を表示させるか，２つの映像画面を左右に並べて同時表示（画面合成）させるかを切り替えるものである。
さらに，前記画面合成切替回路５は，前記制御回路８から入力される挿入情報を，出力する映像信号にスーパーインポーズする機能も備えている。
【００１３】
前記モニタ画面２１は，例えば，いわゆるワイド画面を形成する液晶パネル及びその周辺機器等からなる表示手段であり，前記画面合成切替回路５から出力される映像信号を表示するものである。
前記リモコンインターフェース回路７は，当該テレビジョン受像機Ｘの操作用のリモコンから，赤外線伝送等の無線伝送によって前記リモコンに対する操作入力の情報を取得し，その操作入力情報を前記制御回路８に出力するものである。
前記音声切替回路１０は，前記チューナ１ａ，１ｂ各々からの音声信号及び前記外部入力部２からの音声信号を入力し，それらの音声信号のうちの任意の１つの音声信号を前記制御回路８からの指示に従って出力するものである。
前記音声処理回路１１は，前記制御回路８からの指示に従って，前記音声切替回路１０から出力された音声信号に対して各種信号処理を行うものである。例えば，前記スピーカ２３の特性に合わせたイコライズ処理や，サラウンド処理等を行う。
前記アンプ２２は，前記音声処理回路１１による処理後の音声信号を，前記制御回路８からの指示に従って増幅或いは減衰させる処理を行い，前記アンプ２２に出力するものである。
なお，テレビジョン受像機Ｘのうち，前記モニタ画面２１及び音声関係の構成要素１０，１１，２２，２３を除く残りの構成が，前記モニタ画面２１（マルチ画面表示手段）に映像画面を表示させるマルチ画面制御装置として機能する部分である。
【００１４】
前記広帯域スイッチャ６は，放送信号が各々入力される２つの信号入力端ｉ１，ｉ２から３つの前記チューナ１ａ，１ｂ，１ｃへの信号伝送経路の接続状態を任意に設定可能ないわゆるマトリクススイッチャ（信号経路任意設定手段の一例）である。このように，テレビジョン受像機Ｘでは，前記チューナ１ａ，１ｂ，１ｃが，前記信号入力端ｉ１，ｉ２の数よりも多く設けられている。また，前記広帯域スイッチャ６は，各種周波数帯域の放送信号を伝送可能なように，広帯域仕様となっている。
前記制御回路８は，演算手段であるＭＰＵ８ａ，そのＭＰＵ８ａによって実行される制御プログラムが予め格納される記憶手段であるＲＯＭ８ｂ（ＥＰＲＯＭ），前記ＭＰＵ８ａが実行する処理によって書き込まれる設定情報を記憶するＥＥＰＲＯＭ８ｃ等を備え，当該テレビジョン受像機Ｘ全体を制御するものである。
ここで，前記制御回路８は，前記リモコン（不図示）及び前記リモコンインターフェース回路７を通じて入力される操作入力情報（チャンネル選択キーの操作入力や，音声ボリュームのアップキー若しくはダウンキーの操作入力に対応する情報等）に従って，前記チューナ１ａ，１ｂに対して選局するチャンネルを指定したり，前記アンプ２２に対して出力音量の調節指令を出力したりする等，通常のテレビジョン受像機が備える機能を実現するための制御機能を有する。
また，前記制御回路８は，前記映像処理回路４ａ，４ｂ各々に対し，映像信号の縮小を行うか否か，及び縮小を行う場合に画面の左半分と右半分のいずに配置（位相調整）するか等についての制御信号を出力し，前記画面合成切替回路５に対し，前記映像処理回路４ａ，４ｂ各々からの映像信号のいずれか一方を前記モニタ画面２１に表示させるか，前記モニタ画面２１にマルチ画面（２画面）表示させるかの制御信号を出力する。さらに，前記チューナ１ａ，１ｂ各々に対しては，いずれの放送チャンネルを抽出（選局）させるかの制御信号を出力し，前記映像切替回路３に対しては，前記チューナ１ａ，１ｂ及び前記外部入力部２の各々から入力される映像信号の中からいずれの２つの映像信号を選択して前記映像処理回路４ａ，４ｂ各々に出力させるかの切替信号を出力する。
【００１５】
また，前記制御回路８は，前記広帯域スイッチャ６に対して所定の制御信号を出力することにより，前記広帯域スイッチャ６の信号伝送経路の接続状態を制御する（信号経路制御手段の一例）。
以下，図２のフローチャートを用いて，前記制御回路８が所定の制御プログラムを実行することによって行われる前記広帯域スイッチャ６制御の処理手順について説明する。なお，Ｓ１，Ｓ２，…は，処理手順（ステップ）の識別符号を表す。また，図２に示す処理は，前記モニタ画面２１へ電源が投入された際，或いは前記リモコン及び前記リモコンインターフェース回路７を通じて所定のスイッチャ制御開始操作がなされたことを検知した際等の所定のタイミングにおいて実行される。
前記制御回路８は，まず，２つの前記信号入力端ｉ１，ｉ２から３つの前記チューナ１ａ，１ｂ，１ｃへの信号伝送経路の接続状態が，予め定められた複数の異なる接続状態のうちの１つの接続状態となるように前記広帯域スイッチャ６（信号経路任意設定手段）を制御し，その接続状態を順次切り替える（Ｓ１，信号経路順次切替制御手段の一例）。そしてその切り替えごとに，後述するステップＳ２及びＳ３の処理を実行する。このステップＳ１における前記広帯域スイッチャ６の信号伝送経路の設定（制御）は，後述するの本設定（Ｓ５）を行う前に放送信号の種類を検知することを目的として行う仮設定である。
例えば，本実施形態の構成では，まず，前記信号入力端ｉ１への入力信号を前記アナログＵＶチューナ１ａに伝送するとともに，前記信号入力端ｉ２への入力信号を前記デジタルチューナ１ｃに伝送する第１の接続状態とし，次に，前記信号入力端ｉ１への入力信号を前記デジタルチューナ１ｃに伝送するとともに，前記信号入力端ｉ２への入力信号を前記デジタルチューナ１ｃに伝送する第２の接続状態とする。このような接続状態に関する情報は，予め前記ＥＥＰＲＯＭ８ｃ等に記憶させておく。
【００１６】
次に，前記制御回路８は，順次切り替えた前記前記広帯域スイッチャ６における信号伝送経路の接続状態各々において，各チューナ１ａ，１ｃにより予め定められたチャンネルが選択されるよう制御する（Ｓ２）。その詳細については後述する。
さらに，前記制御回路８は，順次切り替えた前記前記広帯域スイッチャ６における信号伝送経路の接続状態各々において，信号が入力された前記チューナ１ａ，１ｃに対応する前記チャンネル信号処理回路２ａ，２ｃ各々から伝送されてくる前記同期信号判別結果及び前記信号フォーマット判別結果に基づいて，各放送信号の種類を検知する。
即ち，前述したように，前記同期信号判別結果は，前記チャンネル信号処理回路２ａにより，前記アナログＵＶチューナ１ａによる前記チャンネル選択処理後の信号から同期信号が検出されたか否かが判別された結果であるが，同期信号が検出されたということは，前記チャンネル選択処理後の信号に映像信号が存在することを表すので，映像信号が存在する場合には，前記制御回路８は，対応する前記アナログＵＶチューナ１ａに入力された放送信号がアナログ放送信号であると判別（検知）する。
また，前記信号フォーマット判別結果は，前記チャンネル信号処理回路２ｃにより，前記デジタルチューナ１ｃによる前記チャンネル選択処理後の信号に基づくＴＳ信号のフォーマットが，予めデジタル放送信号の規格として定められた既定の信号フォーマットに適合するか否かが判別された結果であるが，既定の信号フォーマットに適合している場合には，前記制御回路８は，対応する前記デジタルチューナ１ｃに入力された放送信号がデジタル放送信号であると判別（検知）する。判別結果は，前記ＥＥＰＲＯＭ８ｃに記憶される。
【００１７】
前記制御回路８は，以上示したような判別（検知）処理を前述の第１及び第２の接続状態各々について順次行うことで，前記信号入力端ｉ１，ｉ２各々に入力された放送信号の種類（アナログ放送信号であるかデジタル放送信号であるか）を判別（検知）する。ここで，アナログ放送信号でもデジタル放送信号でもないと判別された場合は，その信号入力端に放送信号は入力されていないと判別する。
なお，ステップＳ３の処理は，ステップＳ１の処理により，前記信号入力端ｉ１，ｉ２から複数の前記チューナ１ａ，１ｂ，１ｃへの信号伝送経路の接続状態が順次切り替えられた状態各々において，前記チューナ１ａ，１ｂ，１ｃにより放送信号についてチャンネル選択処理が行われた後の信号に基づいて放送信号の種類を検知する処理であり，この処理を行う前記制御回路８及び前記チャンネル信号処理回路２ａ，２ｂ，２ｃが，信号種類検知手段の一例である。
【００１８】
ところで，前記同期信号判別結果や前記信号フォーマット判別結果に基づいて放送信号の種類を検知する場合，当然ながら，前述のステップＳ２において，各チューナ１ａ，１ｃにより，各放送信号における使用チャンネルを選択する必要がある。
ステップＳ２における各チューナ１ａ，１ｃによる選択チャンネルの設定方法は各種考えられる。
例えば，いずれの放送信号においても共通して使用されているチャンネルが存在する場合は，予めその使用チャンネルを前記制御回路８のＲＯＭ８ｂ等に記憶しておき，前記制御回路８が，各チューナ１ａ，１ｃにそのチャンネルを選択させる。
或いは，放送信号の種類ごとに，その種類の放送信号では使用されているが他の種類の放送信号では使用されていない固有のチャンネル（以下，固有チャンネルという）を前記制御回路８のＲＯＭ８ｂ等に記憶しておき，前記制御回路８が，信号伝送経路の各接続状態ごとに，各チューナ１ａ，１ｃにその固有チャンネルを順次選択させ，各固有チャンネルが選択されるごとに前述した放送信号の種類の検知処理を行うことも考えられる。これによれば，アナログ放送信号かデジタル放送信号かの種類検知だけでなく，例えば，アナログ地上波放送信号かアナログＣＡＴＶ放送信号かの識別（検知）や，デジタル地上波放送信号かデジタルＣＡＴＶ放送信号かの識別も行うことが可能となる。なお，デジタル放送信号については，前記ＴＳ信号のフォーマットが既定の信号フォーマットのいずれに適合するかによっても，デジタル放送信号の中のいずれの種類であるかを判別できる。
【００１９】
以上のようにして，前記制御回路８は，全ての前記信号入力端ｉ１，ｉ２への入力信号について，放送信号の種類の判別（放送信号がされていないとの判別も含む）が終了するまで，前記前記広帯域スイッチャ６における信号伝送経路の接続状態を順次切り替えながら，前述したステップＳ１〜Ｓ３の処理を繰り返す。
次に，前記制御回路８は，前記信号入力端ｉ１，ｉ２における放送信号の種類の判別結果に基づいて，前記広帯域スイッチャ６における信号伝送経路を本設定（Ｓ５）した後，当該処理を終了させる。
図３は，ステップＳ５において，放送信号の種類に応じた各信号入力端ｉ１，ｉ２から各チューナ１ａ〜１ｃへの信号伝送経路の設定に用いる広帯域スイッチャ設定テーブル（信号伝送経路の設定情報）の一例を表す図である。このテーブルの情報は，前記制御回路８のＥＥＰＲＯＭ８ｃ等に予め記憶されている。図３において，信号出力端ｏ１〜ｏ３は，前記広帯域スイッチャ６における３つのチューナ１ａ，１ｂ，１ｃ各々への接続端（信号出力端）を表し，それらに対応付けられた「ｉ１」，「ｉ２」は，前記広帯域スイッチャ６によって前記信号出力端ｏ１〜ｏ３各々が，前記信号入力端ｉ１，ｉ２と接続される設定であること，「−」は，いずれの信号入力端とも接続されないことを表す。
図３に示すようなテーブルに従って前記広帯域スイッチャ６を制御することにより，テレビジョン受像機Ｘが備えるマルチ画面（２画面）表示機能を最大限活用できるような信号接続状態を設定できる。
なお，ステップＳ５の処理を実行する前記制御回路８が，ステップＳ１〜Ｓ４における放送信号の種類の検知処理（信号種類検知手段の処理の一例）による検知結果に基づいて，前記広帯域スイッチャ６（信号経路任意設定手段）による信号伝送経路の接続状態を制御する信号経路制御手段の一例である。
また，本実施形態では，放送信号が入力される３つの前記チューナ１ａ，１ｂ，１ｃ，チャンネル信号処理回路２ａ，２ｂ，２ｃ（信号種類検知手段），前記広帯域スイッチャ６（信号経路任意設定手段）及び前記制御回路８（信号経路制御手段）により，本発明の実施形態に係る放送信号処理装置の一例が構成されている。
【００２０】
以上示した実施形態に係るテレビジョン受像機Ｘは，各信号入力端ｉ１，ｉ２に入力される放送信号の種類を，前記チューナ１ａ〜１ｃにより放送信号についてチャンネル選択処理が行われた後の信号に基づいて検知（判別）するものであったが，例えば，前記信号入力端ｉ１，ｉ２と前記広帯域スイッチャ６との間や，前記広帯域スイッチャ６と各チューナ１ａ〜１ｃとの間において，放送信号自体に基づいてその種類を判別することも考えられる。但し，その場合は，前記チャンネル信号処理回路２ａ〜２ｃと同様の回路を別途設けること等が必要となり，テレビジョン受像機が通常備える信号処理回路を有効活用できず，装置の構成要素が増えることになる。
また，前記広帯域スイッチャ６（信号経路任意設定手段）の制御方法としては，前述の実施形態の他，例えば，いずれの信号入力端ｉ１，ｉ２にどのような種類の放送信号の信号線を接続したかの情報（以下，放送信号種類入力情報という）の入力画面を前記モニタ画面２１に表示させ，前記放送信号種類入力情報を前記リモコン及び前記リモコンインターフェース回路７を通じて利用者の操作入力に従って入力し，前記制御回路８により，その入力情報を前記広帯域スイッチャ設定テーブル（図３）に適用した結果に従って前記広帯域スイッチャ６を制御すること等も考えられる。
【産業上の利用可能性】
【００２１】
本発明は，テレビジョン受像機等に設けられるチャンネル選択装置への利用が可能である。
【図面の簡単な説明】
【００２２】
【図１】本発明の実施形態に係るテレビジョン受像機Ｘの概略構成を表すブロック図。
【図２】テレビジョン受像機Ｘにおける各信号入力端から各チューナへの信号伝送経路の設定処理の手順を表すフローチャート。
【図３】テレビジョン受像機Ｘにおける放送信号の種類に応じた各信号入力端から各チューナへの信号伝送経路の設定に用いる広帯域スイッチャ設定テーブルの一例を表す図。
【図４】従来のテレビジョン受像機における複数のチューナへの放送信号の信号線の接続パターンの一例を表す図。
【符号の説明】
【００２３】
Ｘ…テレビジョン受像機
１ａ，１ｂ…アナログＵＶチューナ
１ｃ…デジタルチューナ
２ａ，２ｂ，２ｃ…チャンネル信号処理回路
３…映像切替回路
４ａ，４ｂ…映像処理回路
５…画面合成切替回路
６…広帯域スイッチャ（信号経路任意設定手段）
７…リモコンインターフェース回路
８…制御回路（信号経路制御手段）
１０…音声切替回路
１１…音声処理回路
２１…モニタ画面
ｉ１，ｉ２…信号入力端
Ｓ１，Ｓ２，，，…ステップ（処理手順）
【図１】
2006121558.tif 000003
【図２】
2006121558.tif 000004
【図３】
2006121558.tif 000005
【図４】
2006121558.tif 000006